(57)【要約】【課題】プリントする画像の特徴及び雰囲気を認識でき、かつ、プリントの進行状況を認識できるプリンタを提供する。【解決手段】外部機器１００からプリントする画像を取得する画像取得部８０Ａと、プリントする画像を画像の上下方向に沿って複数の領域に分割して各領域の代表色を検出する代表色検出部８０Ｄと、発光色の切り換えが可能な発光部と、発光部の発光を制御する発光制御部８０Ｅと、を備え、発光制御部８０Ｅは、プリントする場合に、代表色検出部８０Ｄで検出された各領域の代表色をプリントの進行に応じて順番に切り換えて発光させる。【選択図】  図９
2020146902.tif 000002
【特許請求の範囲】
【請求項１】
外部機器からプリントする画像を取得する画像取得部と、
前記画像取得部で取得された画像をプリントするプリント部と、
前記プリント部でプリントする画像を複数の領域に分割して各領域の代表色を検出する代表色検出部と、
発光色の切り換えが可能な発光部と、
前記発光部の発光を制御する発光制御部と、
を備え、
前記発光制御部は、前記プリント部でプリントする場合に、前記代表色検出部で検出された各領域の代表色をプリントの進行に応じて順番に切り換えて発光させる、
プリンタ。
【請求項２】
前記代表色検出部は、前記プリント部でプリントする画像を画像の上下方向に沿って複数の領域に分割して各領域の代表色を検出する、
請求項１に記載のプリンタ。
【請求項３】
前記発光制御部は、分割された各領域の面積比に応じて、プリント開始からプリント終了までの時間を分割し、分割した時間間隔で発光色を切り換える、
請求項２に記載のプリンタ。
【請求項４】
前記発光制御部は、前記画像取得部が前記外部機器からプリントする画像を取得する場合に、あらかじめ設定された発光パターンで前記発光部を発光させる、
請求項１から３のいずれか１項に記載のプリンタ。
【請求項５】
前記発光パターンは、複数の発光色が順番に切り換わる発光パターンである、
請求項４に記載のプリンタ。
【請求項６】
前記画像取得部が前記外部機器からプリントする画像を取得する前に、発光パターンの情報を前記外部機器から取得する発光パターン情報取得部を更に備え、
前記発光制御部は、前記画像取得部が前記外部機器からプリントする画像を取得する場合に、前記発光パターン情報取得部で取得された発光パターンで前記発光部を発光させる、
請求項１から３のいずれか１項に記載のプリンタ。
【請求項７】
前記発光パターン情報取得部が取得する発光パターンの情報は、プリントする画像を複数の領域に分割した場合に、分割した各領域の代表色が順番に発光される発光パターンの情報である、
請求項６に記載のプリンタ。
【請求項８】
前記発光制御部は、発光色を切り換えて前記発光部を発光させる場合に、グラデーション状に発光色を切り換えて前記発光部を発光させる、
請求項１から７のいずれか１項に記載のプリンタ。
【請求項９】
前記発光部に発光させる代表色が無彩色の場合に、前記発光制御部は、あらかじめ定められた色で前記発光部を発光させる、
請求項１から８のいずれか１項に記載のプリンタ。
【請求項１０】
前記発光部に発光させる代表色が無彩色の場合に、前記発光制御部は、あらかじめ定められた発光パターンで前記発光部を発光させる、
請求項９に記載のプリンタ。
【請求項１１】
前記発光部に発光させる代表色が無彩色の場合に、前記発光制御部は、前記発光部を非発光とする、
請求項１から７のいずれか１項に記載のプリンタ。
【請求項１２】
前記プリント部は、前記画像取得部で取得された画像をインスタントフィルムにプリントする、
請求項１から１１のいずれか１項に記載のプリンタ。
【請求項１３】
前記外部機器と無線で通信する無線通信部を更に備え、
前記画像取得部は、前記無線通信部を介して、前記外部機器から無線でプリントする画像を取得する、
請求項１から１２のいずれか１項に記載のプリンタ。
【請求項１４】
持ち運びが可能なモバイルプリンタである、
請求項１から１３のいずれか１項に記載のプリンタ。
【発明の詳細な説明】
【技術分野】
【０００１】
本発明はプリンタに関する。
【背景技術】
【０００２】
ディスプレイを持たないプリンタでは、一般にＬＥＤ（Light Emitting Diode）等のランプを用いて、プリンタの動作状態等が外部に通知される（たとえば、特許文献１等）。
【０００３】
一方、特許文献２には、画像から注目領域を抽出し、抽出された注目領域の画像の色分布から代表色を選別し、この代表色に対応する発光パターンでＬＥＤを発光させる技術が提案されている。特許文献２によれば、ＬＥＤの発光パターンから画像の特徴及び雰囲気を認識できる。
【先行技術文献】
【特許文献】
【０００４】
【特許文献１】特開2007-15227号公報
【特許文献２】国際公開第2008/044270号
【発明の概要】
【発明が解決しようとする課題】
【０００５】
しかしながら、特許文献２に記載の技術をプリンタに適用しても、プリントする画像の特徴及び雰囲気が認識できるだけで、プリンタの動作状態、特に、プリントの進行状況については認識できない。
【０００６】
本発明は、このような事情に鑑みてなされたもので、プリントする画像の特徴及び雰囲気を認識でき、かつ、プリントの進行状況を認識できるプリンタを提供することを目的とする。
【課題を解決するための手段】
【０００７】
（１）外部機器からプリントする画像を取得する画像取得部と、画像取得部で取得された画像をプリントするプリント部と、プリント部でプリントする画像を複数の領域に分割して各領域の代表色を検出する代表色検出部と、発光色の切り換えが可能な発光部と、発光部の発光を制御する発光制御部と、を備え、発光制御部は、プリント部でプリントする場合に、代表色検出部で検出された各領域の代表色をプリントの進行に応じて順番に切り換えて発光させる、プリンタ。
【０００８】
（２）代表色検出部は、プリント部でプリントする画像を画像の上下方向に沿って複数の領域に分割して各領域の代表色を検出する、上記（１）のプリンタ。
【０００９】
（３）発光制御部は、分割された各領域の面積比に応じて、プリント開始からプリント終了までの時間を分割し、分割した時間間隔で発光色を切り換える、上記（２）のプリンタ。
【００１０】
（４）発光制御部は、画像取得部が外部機器からプリントする画像を取得する場合に、あらかじめ設定された発光パターンで発光部を発光させる、上記（１）から（３）のいずれか一のプリンタ。
【００１１】
（５）発光パターンは、複数の発光色が順番に切り換わる発光パターンである、上記（４）のプリンタ。
【００１２】
（６）画像取得部が外部機器からプリントする画像を取得する前に、発光パターンの情報を外部機器から取得する発光パターン情報取得部を更に備え、発光制御部は、画像取得部が外部機器からプリントする画像を取得する場合に、発光パターン情報取得部で取得された発光パターンで発光部を発光させる、上記（１）から（３）のいずれか一のプリンタ。
【００１３】
（７）発光パターン情報取得部が取得する発光パターンの情報は、プリントする画像を複数の領域に分割した場合に、分割した各領域の代表色が順番に発光される発光パターンの情報である、上記（６）のプリンタ。
【００１４】
（８）発光制御部は、発光色を切り換えて発光部を発光させる場合に、グラデーション状に発光色を切り換えて発光部を発光させる、上記（１）から（７）のいずれか一のプリンタ。
【００１５】
（９）発光部に発光させる代表色が無彩色の場合に、発光制御部は、あらかじめ定められた色で発光部を発光させる、上記（１）から（８）のいずれか一のプリンタ。
【００１６】
（１０）発光部に発光させる代表色が無彩色の場合に、発光制御部は、あらかじめ定められた発光パターンで発光部を発光させる、上記（９）のプリンタ。
【００１７】
（１１）発光部に発光させる代表色が無彩色の場合に、発光制御部は、発光部を非発光とする、上記（１）から（７）のいずれか一のプリンタ。
【００１８】
（１２）プリント部は、画像取得部で取得された画像をインスタントフィルムにプリントする、上記（１）から（１１）のいずれか一のプリンタ。
【００１９】
（１３）外部機器と無線で通信する無線通信部を更に備え、画像取得部は、無線通信部を介して、外部機器から無線でプリントする画像を取得する、上記（１）から（１２）のいずれか一のプリンタ。
【００２０】
（１４）持ち運びが可能なモバイルプリンタである、上記（１）から（１３）のいずれか一のプリンタ。
【発明の効果】
【００２１】
本発明によれば、プリントする画像の特徴及び雰囲気を認識でき、かつ、プリントの進行状況を認識できる。
【図面の簡単な説明】
【００２２】
【図１】本実施の形態のプリンタを使用して画像をプリントするシステムのシステム構成の一例を示す図
【図２】本実施の形態のプリンタの外観構成の一例を示す正面斜視図
【図３】図２に示すプリンタの背面斜視図
【図４】プリンタのプリント部の概略構成を示す断面図
【図５】フィルムパックの斜視図
【図６】インスタントフィルムの正面図
【図７】インスタントフィルムの背面図
【図８】プリンタの電気的構成を示すブロック図
【図９】プリンタマイコンが実現する主な機能のブロック図
【図１０】画像の分割の一例を示す図
【図１１】外部機器のハードウェア構成の一例を示すブロック図
【図１２】プリンタとの関係において、外部機器が有する主な機能のブロック図
【図１３】外部機器での処理の手順を示すフローチャート
【図１４】プリンタでの処理の手順を示すフローチャート
【図１５】合成画像の一例を示す図
【図１６】代表色の検出機能を備えた外部機器の機能ブロック図
【図１７】外部機器から受信した発光パターンの情報に従って発光部を発光させる場合にプリンタが有する機能のブロック図
【発明を実施するための形態】
【００２３】
以下、添付図面に従って本発明の好ましい実施の形態について詳説する。
【００２４】
［プリントシステム］
図１は、本実施の形態のプリンタを使用して画像をプリントするシステムのシステム構成の一例を示す図である。
【００２５】
本実施の形態のプリンタ１０は、持ち運びが可能なモバイルプリンタとして構成され、外部機器からプリントする画像を無線で受信して、メディアにプリントする。メディアには、シートフィルム方式（モノシートタイプともいう）のインスタントフィルム１２が使用される。
【００２６】
外部機器１００は、通信機能を備えたコンピュータ、特に、スマートフォン、タブレット端末、ノート型パソコン、ＰＤＡ(PERSONAL DATA ASSISTANCE)、携帯電話器等のモバイルコンピュータで構成される。なお、図１は、外部機器が、スマートフォンの場合の例を示している。
【００２７】
プリンタ１０と外部機器との間の通信は、たとえば、ＮＦＣ（NEAR FIELD COMMUNICATION）規格、ＢＬＵＥＴＯＯＴＨ（登録商標）、ＷｉＦｉ（WIRELESS FIDELITY）等の近距離無線通信規格に沿った通信が行われる。
【００２８】
［プリンタの外観構成］
図２は、本実施の形態のプリンタの外観構成の一例を示す正面斜視図である。図３は、図２に示すプリンタの背面斜視図である。
【００２９】
上記のように、プリンタ１０は、インスタントプリンタ（インスタントフィルムにプリントするプリンタ）で構成される。インスタントフィルム１２は、複数枚がケースに収容されたフィルムパック（図５参照）の状態でプリンタ１０に装填される。
【００３０】
プリンタ１０の外装筐体１４は、丸みを帯びた平たい矩形の箱型の形状を有し、片手で把持して、持ち運びが可能に構成される。また、プリンタ１０の外装筐体１４は、縦置き（平坦な場所に立てて置くこと）及び横置き（平坦な場所に寝かせて置くこと）が可能に構成される。図１及び図２は、プリンタ１０を縦置きした場合を示している。
【００３１】
プリンタ１０の正面側には、ほぼ中央の位置に押下式の電源ボタン１６が備えられる。プリンタ１０は、この電源ボタン１６の長押し（一定時間以上押し続ける操作）によって、電源がオン及びオフされる。電源ボタン１６は、発光部を兼ね、その内側に備えられた光源部を発光させることにより、発光する。この点については、後述する。
【００３２】
プリンタ１０の上部（縦置きした場合の上部）には、排出口１８が備えられる。プリントされたインスタントフィルム１２は、この排出口１８から排出される。
【００３３】
プリンタ１０の背面側には、フィルムパック装填室（図４参照）を開閉するフィルムパック蓋２０が備えられる。また、そのフィルムパック蓋２０のロックを解除するロック解除レバー２２が備えられる。ロック解除レバー２２でロックを解除して、フィルムパック蓋２０を開けると、フィルムパック装填室が開放される。インスタントフィルムパックを装填後、フィルムパック蓋２０を閉めると、図示しないロック機構によって、フィルムパック蓋２０がロックされ、フィルムパックが遮光状態で密閉される。
【００３４】
プリンタ１０の一方の側部には、ＵＳＢ（Universal Serial Bus）ケーブルの接続部（不図示）を開閉するＵＳＢケーブル接続部カバー２４が備えられる。プリンタ１０は、このＵＳＢケーブル接続部カバー２４を開けることで露出するＵＳＢケーブルの接続部を介して内蔵するバッテリが充電される。
【００３５】
［プリンタのプリント部の構成］
図４は、プリンタのプリント部の概略構成を示す断面図である。なお、同図は、プリンタを横置きした状態を示している。
【００３６】
同図に示すように、プリンタ１０は、プリント部として、その内部に、フィルムパック装填室３０、フィルムパック装填室３０に装填されたフィルムパックからインスタントフィルム１２を送り出すフィルム送出機構３２、フィルムパックから送り出されたインスタントフィルム１２を搬送するフィルム搬送機構３４、インスタントフィルム１２に画像を記録するプリントヘッド３６等を備える。
【００３７】
フィルムパック装填室３０は、フィルムパック４０が嵌まる凹部として構成され、フィルムパック蓋２０によって開閉される。
【００３８】
図５は、フィルムパックの斜視図である。また、図６は、インスタントフィルムの正面図であり、図７は、インスタントフィルムの背面図である。なお、図５から図７において、矢印Ｆで示す方向は、インスタントフィルム１２の送り方向である。インスタントフィルム１２は、矢印Ｆで示す方向に送られてケース４２から排出される。
【００３９】
インスタントフィルム１２は、矩形のカード形状を有する。インスタントフィルム１２は、一方側の面が露光面（露光により像を記録する面）１２ａ、他方側の面が観察面（記録された像を観察する面）１２ｂとして構成される。
【００４０】
図７に示すように、インスタントフィルム１２の露光面１２ａには、露光領域１２ｃ、ポッド部１２ｄ、及び、トラップ部１２ｆが備えられる。露光領域１２ｃは、露光により画像を記録する領域である。露光領域１２ｃが、インスタントフィルム１２のプリント可能領域となる。露光領域１２ｃを挟んで、ポッド部１２ｄとトラップ部１２ｆとが送り方向Ｆの前後に配置される。ポッド部１２ｄは、露光領域１２ｃに対して送り方向Ｆの前側に配置される。ポッド部１２ｄには、現像処理液を内包した現像処理液ポッド１２ｅが内蔵される。トラップ部１２ｆは、露光領域１２ｃに対して送り方向Ｆの後側に配置される。トラップ部１２ｆには、吸収材１２ｇが内蔵される。
【００４１】
図６に示すように、インスタントフィルム１２の観察面１２ｂには、観察領域１２ｈが備えられる。観察領域１２ｈは、画像が表示される領域である。露光領域１２ｃを現像処理することにより、観察領域１２ｈに画像が表示される。観察領域１２ｈは、露光領域１２ｃに対応して配置される。観察領域１２ｈの周囲には、枠１２ｉが備えられる。したがって、画像は枠内に表示される。また、観察領域１２ｈは、露光領域１２ｃよりも若干狭く設定される（一回り小さく設定される。）。したがって、露光領域１２ｃの全域に画像を記録した場合、周囲がトリミングされた画像がプリントされる。
【００４２】
なお、インスタントフィルム１２は、トラップ部１２ｆが上、ポッド部１２ｄが下となる向きで観賞する。したがって、画像は、トラップ部１２ｆが上、ポッド部１２ｄが下となる向きでプリントされる。
【００４３】
インスタントフィルム１２は、露光後、ポッド部１２ｄの現像処理液を露光領域１２ｃに展開させることにより現像処理される。ポッド部１２ｄの現像処理液は、インスタントフィルム１２を展開ローラ対３４Ｂの間に通すことで、ポッド部１２ｄから絞り出され、露光領域１２ｃに展開される。展開処理時に余った現像処理液が、トラップ部１２ｆで捕捉される。
【００４４】
ケース４２は、矩形の箱形状を有する。ケース４２は、正面部分に矩形状の露光用開口４２ａを有する。また、ケース４２は、天面部分にスリット状のフィルム排出口４２ｂを有する。インスタントフィルム１２は、露光面１２ａをケース４２の正面側（露光用開口４２ａ側）に向け、かつ、ポッド部１２ｄをケース４２の天面側（フィルム排出口４２ｂ側）に向けて、ケース内に重ねて収容される。また、ケース４２は、底面部分にスリット状のクロー開口部４２ｃを有する。ケース４２に収容されたインスタントフィルム１２は、このクロー開口部４２ｃからクロー３２ａを進入させることにより、１枚ずつフィルム排出口４２ｂに向けて送られ、フィルム排出口４２ｂから排出される。
【００４５】
１つのフィルムパック４０には、複数枚（たとえば１０枚）のインスタントフィルム１２が積層されて収容される。
【００４６】
フィルム送出機構３２は、フィルムパック装填室３０に装填されたフィルムパック４０からインスタントフィルム１２を１枚ずつ送り出す。フィルム送出機構３２は、インスタントフィルム１２の送り方向に沿って前後移動するクロー３２ａを備える。フィルム送出機構３２は、そのクロー３２ａによってケース内のインスタントフィルム１２を１枚ずつ掻き出して、インスタントフィルム１２をフィルムパック４０から送り出す。
【００４７】
フィルム搬送機構３４は、フィルム送出機構３２によってフィルムパック４０から送り出されたインスタントフィルム１２を一定速度で搬送する。フィルム搬送機構３４は、搬送ローラ対３４Ａ及び展開ローラ対３４Ｂを備える。搬送ローラ対３４Ａは、図示しないモータに駆動されて回転し、インスタントフィルム１２の両サイドを挟持して搬送する。展開ローラ対３４Ｂは、図示しないモータに駆動されて回転し、インスタントフィルム１２の全体を挟持して搬送する。インスタントフィルム１２は、展開ローラ対３４Ｂによって搬送される過程でポッド部１２ｄが押し潰されて、現像処理される。
【００４８】
プリントヘッド３６は、フィルムパック４０から送り出されたインスタントフィルム１２に画像を記録する。プリントヘッド３６は、ライン型の露光ヘッドで構成される。プリントヘッド３６は、フィルム搬送機構３４によって搬送されるインスタントフィルム１２の露光面１２ａに１ラインずつプリント光を照射し、シングルパスでインスタントフィルム１２に画像を記録する。
【００４９】
［プリンタの電気的構成］
図８は、プリンタの電気的構成を示すブロック図である。
【００５０】
同図に示すように、プリンタ１０は、電源ボタン１６の操作を検出する操作検出部５０、電源ボタン１６を発光させる光源部５２、光源部５２の発光を制御する光源制御部５４、アンテナ５６Ａを介して外部機器と無線で通信する無線通信部５６、電源部５８、電源部５８からの電源供給及び電源部５８への充電を制御する電源制御部６０、プリンタ内蔵メモリ６２、プリンタ内蔵メモリ６２にデータを読み書きするメモリ制御部６４、プリンタ１０の動きを検出する動き検出部６６、フィルム送出機構３２を駆動するフィルム送出機構駆動部６８、フィルム搬送機構３４を駆動するフィルム搬送機構駆動部７０、プリントヘッド３６を駆動するプリントヘッド駆動部７２及びプリンタマイコン８０等を備える。
【００５１】
操作検出部５０は、電源ボタン１６の操作を検出する。電源ボタン１６は、押しボタンで構成され、長押しでプリンタ１０の電源がオン及びオフされる。電源がオンされている間、電源ボタン１６には、リプリントの指示を入力する機能が割り当てられる。リプリントとは、最後にプリントした画像を再度プリントする機能である。操作検出部５０は、プリンタ１０の電源がオンされている間、電源ボタン１６の短押し（押して直ぐ離す操作）を検出して、その検出信号をプリンタマイコン８０に出力する。
【００５２】
光源部５２は、発光色の切り換えが可能に構成される。本実施の形態のプリンタ１０では、光源部５２がＲ（red；赤）、Ｇ（green；緑）及びＢ（blue；青）の三色の素子を備えた三色ＬＥＤ（フルカラーＬＥＤともいう）で構成される。三色ＬＥＤは、Ｒ、Ｇ及びＢの三色の混合比を選択することによって、その発光色を切り換えられる。この主の光源については、公知であるので、その詳細についての説明は省略する。
【００５３】
光源部５２は、電源ボタン１６の内側に配置される（図４参照）。電源ボタン１６は、全体又は一部が透明（又は半透明）とされ、光源部５２を発光させると、その透明部分（又は半透明部分）から光が透過して発光する。
【００５４】
光源制御部５４は、プリンタマイコン８０からの指令に応じて、光源部５２を所定の発光色及び発光パターンで発光させる。
【００５５】
無線通信部５６は、プリンタマイコン８０による制御の下、アンテナ５６Ａを介して外部機器と無線で通信する。上記のように、外部機器との間の通信は、近距離無線通信規格に沿って行われる。
【００５６】
電源部５８は、バッテリ及び電源回路を含み、プリンタ１０の各部に電源を供給する。バッテリは、充電が可能な二次電池で構成され、外部から電源の供給を受けて充電される。
【００５７】
電源制御部６０は、プリンタマイコン８０による制御の下、電源部５８から各部への電源の供給及び電源部５８のバッテリへの充電を制御する。
【００５８】
プリンタ内蔵メモリ６２は、プリンタ１０の記憶部を構成し、プリントした画像データ及びプリンタ１０の設定データ等が記憶される。プリンタ内蔵メモリ６２は、たとえば、ＥＥＰＲＯＭ（Electrically Erasable Programmable Read-only Memory）等の不揮発性メモリで構成される。
【００５９】
メモリ制御部６４は、プリンタマイコン８０からの指令に応じて、プリンタ内蔵メモリ６２にデータを読み書きする。
【００６０】
動き検出部６６は、プリンタ１０の動きを検出する。動き検出部６６は、たとえば、モーションセンサで構成される。モーションセンサ自体は公知であるので、その詳細についての説明は省略する。一般にモーションセンサは、加速度センサ及びジャイロセンサ等を組み合わせて構成される。動き検出部６６によって、プリンタ１０の姿勢（縦置き、横置き、傾き等）、プリンタ１０の移動（持ち上げる、下に置く、引っくり返す等）が検出される。
【００６１】
フィルム送出機構駆動部６８は、フィルム送出機構３２のクロー３２ａを駆動するモータ、及び、その駆動回路を含み、プリンタマイコン８０からの指令に応じて、フィルム送出機構３２を駆動する。
【００６２】
フィルム搬送機構駆動部７０は、フィルム搬送機構３４の搬送ローラ対３４Ａを駆動するモータ及びその駆動回路、並びに、展開ローラ対３４Ｂを駆動するモータ及びその駆動回路を含み、プリンタマイコン８０からの指令に応じて、フィルム搬送機構３４を駆動する。
【００６３】
プリントヘッド駆動部７２は、プリントヘッド３６の駆動回路を含み、プリンタマイコン８０からの指令に応じて、プリントヘッド３６を駆動する。
【００６４】
プリンタマイコン８０は、プリンタ１０の動作を統括制御する制御部である。プリンタマイコン８０は、ＣＰＵ（Central Processing Unit）、ＲＯＭ（Read Only Memory）及びＲＡＭ（Random Access Memory）を備えたマイクロコンピュータで構成され、所定の制御プログラムを実行することにより、種々の機能を実現する。
【００６５】
図９は、プリンタマイコンが実現する主な機能のブロック図である。
【００６６】
プリンタマイコン８０は、主として、画像取得部８０Ａ、プリントデータ生成部８０Ｂ、プリント制御部８０Ｃ、代表色検出部８０Ｄ及び発光制御部８０Ｅとして機能する。
【００６７】
画像取得部８０Ａは、無線通信部５６を介して、外部機器１００と無線で通信し、外部機器１００からプリントする画像の画像データを取得する。リプリントする場合は、最後にプリントした画像の画像データをプリンタ内蔵メモリ６２から読み出して取得する。
【００６８】
プリントデータ生成部８０Ｂは、画像取得部８０Ａで取得した画像データをプリント部でプリント可能なデータ形式（プリントヘッド３６によってインスタントフィルム１２にプリント可能なデータ形式）に変換して、プリント用のデータ（プリントデータ）を生成する。
【００６９】
プリント制御部８０Ｃは、フィルム送出機構駆動部６８を介して、フィルム送出機構３２によるインスタントフィルム１２の送り出しを制御する。また、フィルム搬送機構駆動部７０を介して、フィルム搬送機構３４によるインスタントフィルム１２の搬送を制御する。更に、プリントヘッド駆動部７２を介して、プリントヘッド３６の駆動を制御する。プリントヘッド３６は、プリントデータ生成部８０Ｂで生成されたプリントデータに基づいて、インスタントフィルム１２の搬送に同期して駆動が制御される。
【００７０】
代表色検出部８０Ｄは、プリントする画像を画像の上下方向に沿って複数の領域に分割し、分割した各領域の画像を解析して、その代表色を検出する。代表色とは、該当領域において中心的に用いられている色のことである。代表色検出部８０Ｄは、たとえば、各領域の画像の色分布を求め、最も広い面積を占める色を、その領域の代表色として検出する。この際、代表色検出部８０Ｄは、光源部５２において再現可能な色域の範囲で各領域の代表色を検出する。
【００７１】
図１０は、画像の分割の一例を示す図である。
【００７２】
同図に示すように、本実施の形態のプリンタ１０では、画像ＩＭを上下方向に沿って三等分割（上段領域Ａ１、中段領域Ａ２及び下段領域Ａ３）し、各領域Ａ１、Ａ２、Ａ３の代表色を検出する。なお、ここでの画像の上下方向とは、画像を観察する際の上下方向（鉛直方向）である。
【００７３】
図１０に示す画像ＩＭの例では、上段領域Ａ１の代表色は水色、中段領域Ａ２の代表色は緑色、下段領域の代表色は黄緑色となる。
【００７４】
発光制御部８０Ｅは、光源制御部５４を介して、光源部５２の発光を制御し、発光部である電源ボタン１６を所定の色及びパターンで発光させる。発光制御部８０Ｅは、あらかじめ定められたタイミングで電源ボタン１６を発光させる。具体的には、外部機器１００からプリントする画像を受信する場合、及び、画像をプリントする場合に、電源ボタン１６を発光させる。
【００７５】
外部機器１００からプリントする画像を受信する場合は、あらかじめ定められた複数の色を一定の時間間隔で順番に切り換えて発光させる。たとえば、赤色、オレンジ色、黄色、緑色、水色、青色及び紫色の７色（いわゆる虹色）を一定の時間間隔で順番に切り換えて発光させる。
【００７６】
一方、画像をプリントする場合は、代表色検出部８０Ｄで検出された各領域Ａ１、Ａ２、Ａ３の代表色をプリントの進行に応じて順番に切り換えて発光させる。本実施の形態では、プリント開始からプリント終了までの時間（Ｔ［ｓ］）を三等分割する時間間隔（Ｔ／３［ｓ］）で順番に色を切り換えて発光させる。色は、上段領域Ａ１の代表色、中段領域Ａ２の代表色、下段領域Ａ３の代表色の順番で発光させる。したがって、図１０に示す画像ＩＭの場合は、水色、緑色、黄緑色の順で発光する。なお、代表色が、黒色及び灰色等の無彩色の場合は、非発光とされる。すなわち、対応する領域のタイミングで発光部を発光させない状態（消灯）とする。
【００７７】
また、本実施の形態のプリンタ１０において、プリント開始からプリント終了までの時間とは、インスタントフィルム１２の送り出しを開始してから排出が完了するまでの時間である。排出は、インスタントフィルム１２の後端が、搬送ローラ対３４Ａを通過することで完了する。この状態において、インスタントフィルム１２は、排出口１８から一定量繰り出された状態で保持される（後端部が展開ローラ対３４Ｂに保持された状態で静止する。）。プリント開始からプリント終了までの時間は、画像によらず一定であり、既知の値である。
【００７８】
［外部機器］
上記のように、外部機器１００は、通信機能を備えたコンピュータ、特に、スマートフォン、タブレット端末、ノート型パソコン、ＰＤＡ、携帯電話器等のモバイルコンピュータで構成される。
【００７９】
図１１は、外部機器のハードウェア構成の一例を示すブロック図である。なお、同図は、外部機器１００が、スマートフォンで構成される場合の例を示している。
【００８０】
同図に示すように、外部機器（スマートフォン）１００は、全体の動作を制御するＣＰＵ１０１、基本入出力プログラム等を記憶したＲＯＭ１０２、ＣＰＵ１０１のワークエリアとして使用されるＲＡＭ１０３、内蔵メモリ１０４、ディスプレイ１０５、ディスプレイ画面へのタッチ操作（位置入力）を検出するタッチパッド１０６、ＧＰＳ（Global Positioning Systems）衛星又は屋内ＧＰＳとしてのＩＭＥＳ（Indoor MEssaging System）によって外部機器１００の位置情報（緯度、経度及び高度）を含んだＧＰＳ信号を受信するＧＰＳ受信部１０７、撮影レンズ及びイメージセンサを含み、画像を電子的に撮影するカメラ部１０８、マイクロフォンを含み、音声を入力するマイク部１０９、スピーカを含み、音声を出力するスピーカ部１１０、アンテナ１１１Ａを利用して最寄りの基地局等と無線で通信する通信部１１１、アンテナ１１２Ａを利用して他の機器（たとえば、プリンタ１０）と近距離無線で通信する近距離無線通信部１１２、地磁気センサ、ジャイロコンパス、加速度センサ等の各種センサを含むセンサ部１１３、メモリカード１１５へのデータの読み書きを行うメディアドライブ１１４等を備える。内蔵メモリ１０４は、ＥＥＰＲＯＭ等の不揮発性メモリで構成される。内蔵メモリ１０４には、ＣＰＵ１０１が実行するオペレーティングシステムを含む各種プログラムの他、カメラ部１０８で撮影した画像の画像データ及び他の機器から取得した画像データ等、各種データが記憶される。
【００８１】
外部機器１００は、プリンタ１０との関係において、カメラ部１０８で撮影した画像をプリンタ１０にプリントさせる機能、及び、内蔵メモリ１０４に記録された画像をプリンタ１０にプリントさせる機能を有する。また、これらの機能に関連して、プリントする画像を編集する機能を有する。
【００８２】
図１２は、プリンタとの関係において、外部機器が有する主な機能のブロック図である。
【００８３】
同図に示すように、外部機器１００は、プリントする画像を取得するプリント用画像取得部１００Ａ、プリントする画像を加工編集するプリント用画像処理部１００Ｂ及びプリントする画像をプリンタ１０に送信するプリント用画像送信部１００Ｃの機能を有する。
【００８４】
プリント用画像取得部１００Ａは、撮影により、又は、内蔵メモリ１０４からプリント用の画像を取得する。撮影によりプリント用の画像を取得する場合は、ユーザからの操作入力（操作部としてのタッチパッド１０６への操作入力）に基づいて、カメラ部１０８を制御し、プリントする画像を撮影により取得する。内蔵メモリ１０４からプリント用の画像を取得する場合は、内蔵メモリ１０４に記憶されている画像を読み出して取得する。たとえば、ユーザに画像の保管先のフォルダを選択させ、そのフォルダに格納されている画像をディスプレイに再生表示させて、プリントする画像を選択させる。プリント用画像取得部１００Ａで取得された画像は、ディスプレイ１０５に表示される。
【００８５】
プリント用画像処理部１００Ｂは、ユーザからの操作入力（操作部としてのタッチパッド１０６への操作入力）に基づいて、プリントする画像（プリントする画像としてディスプレイ１０５に表示中の画像）を加工編集する。たとえば、画像のトリミング、拡大、回転、テンプレート合成、画像補正（ノイズ除去、シャープネス、色調、明るさ等）の画像処理を行う。
【００８６】
プリント用画像送信部１００Ｃは、ユーザからの操作入力（操作部としてのタッチパッド１０６への操作入力）に基づいて、プリントする画像をプリンタ１０に送信する。画像は、近距離無線通信部１１２を介してプリンタ１０に送信される。
【００８７】
プリントの送信指示（プリントの指示）は、たとえば、プリントする画像が表示されたディスプレイ１０５の画面を規定の方向（たとえば、画面の下から上に向かう方向）にスワイプする操作によって行う。あるいは、画面上に表示したプリントボタンをタッチすることにより行う。
【００８８】
［本実施の形態のプリントシステムによるプリントの流れ］
本実施の形態のプリントシステムでは、プリントする画像を外部機器１００で撮影又は選択し、撮影又は選択した画像をプリンタ１０に無線で送信して、プリンタ１０にプリントさせる。
【００８９】
図１３は、外部機器での処理の手順を示すフローチャートである。
【００９０】
まず、プリンタ１０が検出される（ステップＳ１１）。すなわち、近距離無線通信で接続できるプリンタ１０の有無が検出される。そして、プリンタ１０が検出されたか否かが判定される（ステップＳ１２）。プリンタ１０が検出されなかった場合は、エラーメッセージが表示される（ステップＳ１３）。たとえば、「接続可能なプリンタがありません」等のエラーメッセージが表示される。一方、接続可能なプリンタ１０が検出された場合は、接続を確立する処理が行われる。
【００９１】
接続が確立すると、プリントのモードが判定される（ステップＳ１４）。すなわち、撮影してプリントするモード（撮影プリント）、及び、内蔵メモリ１０４に記録されている画像を選択してプリントするモード（再生プリント）のいずれのモードでプリントするかが判定される。モードの選択は、メニュー画面で行われる。
【００９２】
撮影プリントのモードが選択された場合、プリントする画像の撮影処理が行われる（ステップＳ１５）。一方、再生プリントのモードが選択された場合、プリントする画像の選択処理が行われる（ステップＳ１６）。これにより、プリントする画像が取得される。取得された画像は、プリントする画像として、ディスプレイ１０５に表示される。
【００９３】
次に、ユーザからの操作入力（操作部としてのタッチパッド１０６への操作入力）に基づいて、画像編集の要否が判定される（ステップＳ１７）。画像編集の要否は、画像編集の操作が行われたか否かによって判定される。画像編集の操作が行われた場合は、操作入力に従って画像編集の処理が行われる（ステップＳ１８）。
【００９４】
この後、ユーザからの操作入力に基づいて、プリントの指示の有無が判定される（ステップＳ１９）。ここで、プリントの指示がない場合は、プリントのキャンセルの指示の有無が判定される（ステップＳ２０）。プリントのキャンセルが指示された場合は処理を終了する。一方、プリントが指示されると、プリンタ１０に画像が転送される（ステップＳ２１）。
【００９５】
図１４は、プリンタでの処理の手順を示すフローチャートである。なお、外部機器１００との接続は確立されているものとする。
【００９６】
まず、プリント指示の有無が判定される（ステップＳ３１）。プリントが指示されると、画像の受信が開始されたか否かが判定される（ステップＳ３２）。画像の受信が開始されると、電源ボタン１６が、所定のパターンで発光される（ステップＳ３３）。本実施の形態のプリンタ１０では、赤色、オレンジ色、黄色、緑色、水色、青色及び紫色の７色（いわゆる虹色）が一定の時間間隔で順番に切り換わりながら発光される。この後、画像の受信が完了したか否かが判定される（ステップＳ３４）。画像の受信が完了すると、発光が停止される（ステップＳ３５）。
【００９７】
次に、受信した画像データからプリントデータが生成される（ステップＳ３６）。また、受信した画像データが解析され、上段、中段及び下段の各領域の代表色が検出される（ステップＳ３７）。すなわち、画像が、上下方向に沿って上段、中段及び下段に三等分割され、分割された各領域の代表色が検出される。
【００９８】
次に、検出された各領域の代表色に基づいて、プリント中の電源ボタン１６の発光パターンが設定される（ステップＳ３８）。本実施の形態のプリンタ１０では、プリントの開始からプリントの終了までの時間Ｔ（既知）を三等分割した時間間隔で上段領域の代表色、中段領域の代表色及び下段領域の代表色が順番に切り換わって発光するように、発光パターンが設定される。
【００９９】
次に、プリント処理が行われる（ステップＳ３９）。また、このプリント処理の開始に伴って電源ボタン１６が発光される（ステップＳ４０）。電源ボタン１６は、設定された発光パターンで発光される。すなわち、プリントする画像を三等分割した際の上段領域の代表色、中段領域の代表色及び下段領域の代表色の順番で発光される。また、プリントの開始からプリントの終了までの時間Ｔを三等分割した時間間隔で発光色が切り換えられて発光される。ユーザは、この電源ボタン１６の発光を視認することで、プリントされる画像の特徴及び雰囲気を認識できる。また、発光の切り換わりを視認することで、プリントの進行状況を認識できる。
【０１００】
以上説明したように、本実施の形態のプリンタ１０によれば、電源ボタン１６が発光部として構成され、プリントする画像の受信中及びプリント中に所定の形態で発光する。これにより、電源ボタン１６の発光状態からプリンタ１０の動作状態を把握できる。また、プリント中は、画像を三等分割して求めた各領域の代表色が順番に発光されるので、プリントされる画像の特徴及び雰囲気を電源ボタン１６の発光状態から認識できる。このことは、プリントが完了しても、直ぐには画像を確認できないインスタントフィルム１２において、特に有効に作用する。また、プリント中は、各領域の代表色がプリントの進行に応じて順番に切り換わるので、電源ボタン１６の発光状態からプリントの進行状況を認識できる。また、このようにプリント中に電源ボタン１６を発光させることにより、プリンタ１０にユーザの関心を向けることができる。更に、プリントする楽しみをユーザに与えることができる。また、代表色を検出する場合において、あらかじめ定めた領域（本実施の形態では、画像を上下方向に三等分割した各領域）の代表色を検出することにより、検出処理を簡素化できる。
【０１０１】
［変形例］
［代表色の検出形態の変形例］
上記実施の形態では、プリントする画像を上下方向に沿って三等分割し（上段、中段及び下段）、各領域の代表色を検出する構成としているが、代表色の検出形態は、これに限定されるものではない。更に詳細に分割して、各領域の代表色を検出する構成としてもよい。
【０１０２】
また、各領域の分割の比率（面積比）は、必ずしも等しくする必要はない。すなわち、等分割である必要はない。あらかじめ定められた構成比率で分割されればよい。たとえば、画像の上下方向に三分割する場合において、上段領域、中段領域、下段領域の分割の比率（面積比）が１：２：１となるように分割してもよい。この場合、発光の切り換えも各領域の分割の比率（面積比）に応じたものとすることが好ましい。すなわち、たとえば、画像の上下方向に三分割する場合において、上段領域、中段領域、下段領域の分割の比率（面積比）が１：２：１の場合、プリント開始からプリント終了までの時間が１：２：１となるように分割し、各領域の代表色を順番に切り換えて発光させる。
【０１０３】
また、分割の形態は、上下方向に限らず、マトリクス状に分割してもよい。この場合、たとえば、画像の左上の領域を始点、右下の領域を終点として、順番に各領域で検出された代表色を発光させる。たとえば、マトリクス状に四分割する場合は、画像の左上の領域、右上の領域、左下の領域及び右下の領域の順で各領域の代表色を発光させる。すなわち、画像の左上から右下に向かって走査するように発光順が設定される。
【０１０４】
この他、画像の中心を中心として、同心円状に複数の領域に分割するようにしてもよい。ただし、画像を上下方向に分割した場合は、画像の上下方向に沿って順番に発光色が切り換わるので、他の分割態様に比して、画像の特徴及び雰囲気を捉えやすくできる。
【０１０５】
なお、画像の分割は、必ずしも画像のすべての領域を対象とする必要はない。画像の一部の領域のみを対象に分割するようにしてもよい。代表色を検出する領域が、あらかじめ定められていればよい。
【０１０６】
また、たとえば、プリントする画像が合成画像の場合は、合成された画像の領域ごとに代表色を検出し、順番発光させる形態としてもよい。なお、ここでの合成画像には、画面を複数の領域に分割し、分割された領域ごとに画像を当てはめて合成した画像（分割画像（コラージュ画像を含む））が含まれる。
【０１０７】
図１５は、合成画像の一例を示す図である。
【０１０８】
同図は、画面をマトリクス状に四等分割した場合の例を示している。この場合、分割画像ＣＩは、４つの画像で構成される。具体的には、画面左上の第１画像ＣＩ１、画面右上の第２画像ＣＩ２、画面左下の第３画像ＣＩ３及び画面右下の第４画像ＣＩ４で構成される。
【０１０９】
代表色は、各画像の領域ごとに検出される。すなわち、第１画像ＣＩ１の領域、第２画像ＣＩ２の領域、第３画像ＣＩ３の領域及び第４画像ＣＩ４の領域で検出される。したがって、この場合、各画像で中心的に用いられている色が各領域の代表色として検出される。すなわち、第１画像ＣＩ１で中心的に用いられている色、第２画像ＣＩ２で中心的に用いられている色、第３画像ＣＩ３で中心的に用いられている色及び第４画像ＣＩ４で中心的に用いられている色が、各領域の代表色として検出される。
【０１１０】
また、発光パターンは、第１画像ＣＩ１の領域の代表色、第２画像ＣＩ２の領域の代表色、第３画像ＣＩ３の領域の代表色及び第４画像ＣＩ４の領域の代表色の順で発光するように設定される（画面の左上の領域から右下の領域に向かって走査するように発光順が設定される。）。
【０１１１】
［代表色の検出手法の変形例］
上記実施の形態では、各領域の代表色を検出する方法として、各領域の画像の色分布を求め、最も広い面積を占める色を、その領域の代表色として検出する手法を採用しているが、代表色を検出する手法は、これに限定されるものではない。その他の公知の手法を採用できる。
【０１１２】
［発光形態の変形例］
上記実施の形態では、プリント中、画像の各領域から検出された代表色を順番に切り換えて発光させる構成としているが、各代表色を発光させる際の形態は、点滅による形態であってもよい。点滅による発光形態を採用することにより、プリントの進行状況をより詳細に把握できる。すなわち、点滅した回数をカウントすることにより、プリントの完了までの時間を把握できる。
【０１１３】
また、発光色を切り換える場合は、グラデーション状に発光色を切り換えてもよい。これにより、たとえば、連続する２つの領域で同じ色が代表色として検出された場合であっても、発光状態から領域の切り換わりを認識できる。また、このように、グラデーション状に発光色を切り換えることにより、よりユーザの関心をプリンタ１０に向けることができる。また、プリントする楽しみをユーザに与えることができる。
【０１１４】
［代表色が無彩色の場合の発光形態の変形例］
上記実施の形態では、領域の代表色が黒色及び灰色等の無彩色の場合、当該領域を発光させるタイミングで発光部（電源ボタン１６）を非発光としているが、代表色が無彩色の場合の発光形態は、これに限定されるものではない。この他、たとえば、あらかじめ定められた色で発光させるようにしてもよい。また、あらかじめ定められた色をあらかじめ定められた発光パターンで発光させるようにしてもよい。たとえば、白色を点滅発光させたり、虹色に変化させたりする形態を採用できる。また、発光部として、輪郭部分（外周の縁の部分）のみを発光させることができる発光部を採用した場合には、輪郭部分のみを所定の色及び／又は発光パターンで発光させてもよい。
【０１１５】
［プリントする画像を受信する場合の発光形態の変形例］
プリントする画像を受信する場合も、プリントする場合と同様に、画像の代表色で発光させるようにしてもよい。この場合、外部機器１００に代表色を検出する機能が備えられる。
【０１１６】
図１６は、代表色の検出機能を備えた外部機器の機能ブロック図である。
【０１１７】
同図に示すように、外部機器１００は、プリンタ１０でプリントする画像から各領域の代表色を検出するプリント用画像代表色検出部１００Ｄ、及び、プリント用画像代表色検出部１００Ｄで検出された各領域の代表色に基づいて、発光パターンを設定し、プリンタ１０に送信する発光パターン情報送信部１００Ｅの機能を更に有する。
【０１１８】
プリント用画像代表色検出部１００Ｄは、プリンタ１０でプリントする画像を画像の上下方向に沿って複数の領域に分割し、分割した各領域の代表色を検出する。本例では、画像を上下方向に三等分割し、各領域の代表色を検出する。
【０１１９】
プリント用画像代表色検出部１００Ｄで検出された各領域の代表色の情報は、発光パターン情報送信部１００Ｅに加えられる。
【０１２０】
発光パターン情報送信部１００Ｅは、プリント用画像代表色検出部１００Ｄで検出された各領域の代表色の情報に基づいて、プリンタ１０が画像を受信する際の発光部（電源ボタン１６）の発光パターンを設定する。本例では、上段領域の代表色、中段領域の代表色及び下段領域の代表色の順で発光するように、発光パターンが設定される。そして、設定した発光パターンの情報をプリンタ１０に送信する。この際、発光パターン情報送信部１００Ｅは、プリント用画像送信部１００Ｃがプリント用の画像を送信する前に、発光パターンの情報をプリンタ１０に送信する。
【０１２１】
プリンタ１０は、外部機器１００からプリントする画像を受信する際、前もって受信した発光パターンの情報にしたがって、発光部（電源ボタン１６）を発光させる。
【０１２２】
図１７は、外部機器から受信した発光パターンの情報に従って発光部を発光させる場合にプリンタが有する機能のブロック図である。
【０１２３】
同図に示すように、プリンタ１０には、外部機器１００から発光パターンの情報を取得する発光パターン情報取得部８０Ｆの機能が更に備えられる。発光パターン情報取得部８０Ｆは、無線通信部５６を介して、外部機器１００から送信される発光パターンの情報を取得する。発光パターン情報取得部８０Ｆの機能は、プリンタマイコン８０によって実現される。
【０１２４】
発光パターン情報取得部８０Ｆで取得された発光パターンの情報は、発光制御部８０Ｅに加えられる。発光制御部８０Ｅは、プリントする画像を外部機器１００から受信する際、発光パターン情報取得部８０Ｆで取得された発光パターンの情報に従って、発光部（電源ボタン１６）を発光させる。
【０１２５】
このように、プリントする画像を受信する場合も画像に基づいて発光部を発光させることにより、プリントされる画像の特徴及び雰囲気を発光部の発光状態から認識できる。また、プリンタ１０にユーザの関心を向けることができる。更に、プリントする楽しみをユーザに与えることができる。
【０１２６】
なお、本例のように、外部機器１００からプリントする画像の代表色の情報（発光パターンの情報）を取得できる場合、プリンタ１０では、代表色の検出処理は不要となる。プリントする場合、発光制御部８０Ｅは、発光パターン情報取得部８０Ｆで取得された発光パターンの情報に基づいて、発光部（電源ボタン１６）を発光させる。
【０１２７】
なお、受信する場合とプリントする場合とで発光パターンを変えてもよい。たとえば、受信する場合とプリントする場合とで代表色の検出パターンを変えることにより、受信する場合とプリントする場合とで発光パターンを変えることができる。たとえば、受信する場合は、プリントする画像を上下方向に五等分割し、各領域の代表色を検出して、発光パターンを設定する。一方、プリントする場合は、プリントする画像を上下方向に三等分割し、各領域の代表色を検出して、発光パターンを設定する。
【０１２８】
また、受信に要する時間は、プリントに要する時間に比して短い。したがって、画像を受信する場合の発光パターンは、受信中、一定の時間間隔で繰り返し発光色が切り換わる形態としてもよい。一方、受信に時間を要する場合には、受信の進行に応じて、順番に発光色を切り換える形態とすることが好ましい。これにより、受信終了までの時間を発光部の発光状態から把握できる。
【０１２９】
［発光部を発光させるタイミングの変形例］
上記実施の形態では、プリントする画像を受信する場合及びプリントする場合に発光部を発光させる構成としているが、発光部を発光させるタイミングは、これに限定されるものではない。たとえば、電源をオンした場合、及び、電源をオフした場合に、所定の発光パターン（たとえば、虹色に変化する発光パターン）で発光させるようにしてもよい。また、たとえば、バッテリ残量が閾値未満になった場合に、所定の発光パターン（たとえば、赤色を点滅）で発光させるようにしてもよい。また、たとえば、インスタントフィルム１２の残数が無くなった場合、あるいは、残数が一定枚数以下になった場合に、所定の発光パターンで発光させるようにしてもよい。更に、外部機器１００の操作に応じて発光させるようにしてもよい。たとえば、外部機器１００において、プリント用の画像を撮影した場合に、所定の発光パターンで発光させてもよい。また、たとえば、外部機器１００において、プリント用の画像を編集操作した場合に、その編集の操作内容に応じて、発光させてもよい。また、外部機器１００と通信が確立した場合に、所定の発光パターンで発光させてもよい。
【０１３０】
［発光部の変形例］
上記実施の形態では、電源ボタン１６を発光させる構成としているが、発光させる部位は、これに限定されるものではない。
【０１３１】
また、発光部は、複数箇所に備えられていてもよい。発光部が複数箇所に備えられている場合は、各発光部を順番に発光させてもよい。たとえば、画像を三分割して代表色を検出する場合、発光部を三箇所に設け、順番に発光させるようにしてもよい。
【０１３２】
また、上記実施の形態では、発光部の光源として、三色ＬＥＤを使用しているが、光源種は、これに限定されるものではない。発光色の切り換えが可能な光源であればよい。この他、たとえば、カラー発光が可能なＯＬＥＤ（Organic Light Emitting Diode）等のＥＬ光源（electroluminescent source）等を採用することもできる。なお、電力消費の観点からは、半導体光源を使用することが好ましい。
【０１３３】
また、光源は、点状の光源に限らず、面状の光源を使用することもできる。この場合、面内で色を可変できる光源を使用することもできる。
【０１３４】
［通信形態の変形例］
上記実施の形態では、プリンタと外部機器が無線で通信する形態としているが、有線で通信する形態としてもよい。また、無線で通信する場合において、その通信方式は、特に限定されず、公知の通信方式を採用できる。
【０１３５】
［プリンタの変形例］
上記実施の形態では、本発明をインスタントプリンタに適用した場合を例に説明したが、本発明の適用は、これに限定されるものではない。この他、たとえば、感熱紙にプリントする感熱式プリンタ、インクリボンを使用してプリントする熱転写プリンタ、インクジェット方式でプリントするインクジェットプリンタ等、種々の方式のプリンタに適用できる。
【０１３６】
また、上記実施の形態では、本発明をモバイルプリンタに適用した場合を例に説明したが、本発明の適用は、これに限定されるものではない。いわゆる据え置きタイプのプリンタにも適用できる。なお、モバイルプリンタは、一般にユーザの近く（おおよそ手の届く範囲）で使用されることが多いので、モバイルプリンタに適用した場合には、特に有効に作用する。
【０１３７】
また、画像取得部８０Ａ、プリントデータ生成部８０Ｂ、プリント制御部８０Ｃ、代表色検出部８０Ｄ及び発光制御部８０Ｅ等の機能を実現するハードウェアは、各種のプロセッサ（processor）で構成できる。各種プロセッサには、プログラムを実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device；ＰＬＤ）、ＡＳＩＣ（Application Specific Integrated Circuit）などの特定の処理を実行させるために専用に設計された回路構成を有するプロセッサである専用電気回路などが含まれる。点検支援装置を構成する１つの処理部は、上記各種プロセッサのうちの１つで構成されていてもよいし、同種又は異種の２つ以上のプロセッサで構成されてもよい。たとえば、１つの処理部は、複数のＦＰＧＡ、あるいは、ＣＰＵとＦＰＧＡの組み合わせによって構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip；ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種プロセッサを１つ以上用いて構成される。更に、これらの各種のプロセッサのハードウェア的な構造は、より具体的には、半導体素子などの回路素子を組み合わせた電気回路（circuitry）である。
【０１３８】
［外部機器の変形例］
外部機器についても、特に限定されず、デジタルカメラで構成することもできる。また、デスクトップ型のパーソナルコンピュータで構成することもできる。
【符号の説明】
【０１３９】
１０  プリンタ
１２  インスタントフィルム
１２ａ  露光面
１２ｂ  観察面
１２ｃ  露光領域
１２ｄ  ポッド部
１２ｅ  現像処理液ポッド
１２ｆ  トラップ部
１２ｇ  吸収材
１２ｈ  観察領域
１２ｉ  枠
１４  外装筐体
１６  電源ボタン
１８  排出口
２０  フィルムパック蓋
２２  ロック解除レバー
２４  ＵＳＢケーブル接続部カバー
３０  フィルムパック装填室
３２  フィルム送出機構
３２ａ  クロー
３４  フィルム搬送機構
３４Ａ  搬送ローラ対
３４Ｂ  展開ローラ対
３６  プリントヘッド
４０  フィルムパック
４２  ケース
４２ａ  露光用開口
４２ｂ  フィルム排出口
４２ｃ  クロー開口部
５０  操作検出部
５２  光源部
５４  光源制御部
５６  無線通信部
５６Ａ  アンテナ
５８  電源部
６０  電源制御部
６２  プリンタ内蔵メモリ
６４  メモリ制御部
６６  動き検出部
６８  フィルム送出機構駆動部
７０  フィルム搬送機構駆動部
７２  プリントヘッド駆動部
８０  プリンタマイコン
８０Ａ  画像取得部
８０Ｂ  プリントデータ生成部
８０Ｃ  プリント制御部
８０Ｄ  代表色検出部
８０Ｅ  発光制御部
８０Ｆ  発光パターン情報取得部
１００  外部機器
１００Ａ  プリント用画像取得部
１００Ｂ  プリント用画像処理部
１００Ｃ  プリント用画像送信部
１００Ｄ  プリント用画像代表色検出部
１００Ｅ  発光パターン情報送信部
１０１  ＣＰＵ
１０２  ＲＯＭ
１０３  ＲＡＭ
１０４  内蔵メモリ
１０５  ディスプレイ
１０６  タッチパッド
１０７  ＧＰＳ受信部
１０８  カメラ部
１０９  マイク部
１１０  スピーカ部
１１１  通信部
１１１Ａ  アンテナ
１１２  近距離無線通信部
１１２Ａ  アンテナ
１１３  センサ部
１１４  メディアドライブ
１１５  メモリカード
Ａ１  画像の上段領域
Ａ２  画像の中段領域
Ａ３  画像の下段領域
ＣＩ  分割画像
ＣＩ１  分割画像を構成する第１画像
ＣＩ２  分割画像を構成する第２画像
ＣＩ３  分割画像を構成する第３画像
ＣＩ４  分割画像を構成する第４画像
Ｆ  インスタントフィルムの送り方向
ＩＭ  画像
Ｓ１１〜Ｓ２１  プリントする場合の外部機器での処理の手順
Ｓ３１〜Ｓ４０  プリントする場合のプリンタでの処理の手順
【図１】
2020146902.tif 000003
【図２】
2020146902.tif 000004
【図３】
2020146902.tif 000005
【図４】
2020146902.tif 000006
【図５】
2020146902.tif 000007
【図６】
2020146902.tif 000008
【図７】
2020146902.tif 000009
【図８】
2020146902.tif 000010
【図９】
2020146902.tif 000011
【図１０】
2020146902.tif 000012
【図１１】
2020146902.tif 000013
【図１２】
2020146902.tif 000014
【図１３】
2020146902.tif 000015
【図１４】
2020146902.tif 000016
【図１５】
2020146902.tif 000017
【図１６】
2020146902.tif 000018
【図１７】
2020146902.tif 000019